(57)【特許請求の範囲】
【請求項１】
ユーザが口座を開設している金融機関と提携し、前記ユーザが保有するデビットカードを通じて前記ユーザが指定する金額を前記金融機関の口座から引き出すデビット決済を行う決済システム及び前記金融機関とは異なる海外送金事業者が提供し、前記ユーザによって予め設定された海外送金設定情報と関連付けられた海外送金カードによる海外送金を行う海外送金システムと連携した海外送金決済端末機であって、
前記デビットカード及び前記海外送金カードそれぞれのカード情報を読み取るカード情報読み取り装置と、
読み取られた前記デビットカードのカード情報と、前記ユーザが指定した決済金額及び前記ユーザが入力した前記デビットカードの秘匿情報と、を含み、前記海外送金事業者を支払い先とするデビット決済のためのデビット決済用送信データを前記決済システムに送信し、前記決済システムからデビット決済結果を受信するデビット決済制御部と、
前記デビット決済結果がＯＫである場合に、デビット決済された前記決済金額に対応する送金金額及び前記海外送金設定情報に紐付く前記海外送金カードのカード情報を含む海外送金依頼データを前記海外送金システムに送信する海外送金制御部と、
を有することを特徴とする海外送金決済端末機。
【請求項２】
前記海外送金制御部は、前記海外送金依頼データの送信に対する前記海外送金システムからの応答結果を受信し、
前記デビット決済制御部は、前記応答結果が海外送金依頼を受領できない旨を示す結果である場合又は前記海外送金システムから前記応答結果を受信できなかった場合に、デビット決済された前記決済金額に対応するデビット決済取消データを前記決済システムに送信するデビット決済取消処理を遂行することを特徴とする請求項１に記載の海外送金決済端末機。
【請求項３】
前記ユーザによって操作される入力装置と、表示装置と、前記海外送金依頼データに対応する取引情報を記憶する記憶装置と、をさらに有し、
前記海外送金制御部は、前記デビットカードのカード情報が読み取られる前であって前記入力装置を介して前記決済金額が入力され、かつ前記海外送金カードのカード情報が読み取られたときに、過去の前記取引情報を参照して、前記海外送金カード及び前記決済金額が同一の連続した海外送金である否かを判別し、前記海外送金カード及び前記決済金額が同一の連続した海外送金であると判別された場合に、前記同一の連続した海外送金であることを確認するメッセージを、前記表示装置に表示させるように制御することを特徴とする請求項１又は２に記載の海外送金決済端末機。
【請求項４】
前記海外送金システムから受信した前記海外送金依頼データの送信に対する応答結果に基づいて、デビット決済に基づく海外送金依頼に関する所定の伝票を印刷する印刷装置をさらに有することを特徴とする請求項１から３のいずれか１つに記載の海外送金決済端末機。
【請求項５】
前記海外送金決済端末機は、持ち運び可能な端末機であることを特徴とする請求項１から４のいずれか１つに記載の海外送金決済端末機。
【請求項６】
ユーザが口座を開設している金融機関と提携し、前記ユーザが保有するデビットカードを通じてユーザが指定する金額を前記金融機関の口座から引き出すデビット決済を行う決済システムと接続可能な海外送金決済端末機を利用し、前記金融機関とは異なる海外送金事業者が海外送金を行う海外送金システムと連携した海外送金支援システムであって、
前記海外送金決済端末機は、
前記デビットカード及び前記海外送金システムを利用するユーザによって予め設定された海外送金設定情報と関連付けられた海外送金カードそれぞれのカード情報を読み取るカード情報読み取り装置と、
読み取られた前記デビットカードのカード情報と、前記ユーザが指定した決済金額及び前記ユーザが入力した前記デビットカードの秘匿情報と、を含み、前記海外送金事業者を支払い先とするデビット決済のためのデビット決済用送信データを前記決済システムに送信し、前記決済システムからデビット決済結果を受信するデビット決済制御部と、
前記デビット決済結果がＯＫである場合に、デビット決済された前記決済金額に対応する送金金額及び前記海外送金設定情報に紐付く前記海外送金カードのカード情報を含む海外送金依頼データを前記海外送金システムに送信する海外送金制御部と、を有し、
前記海外送金システムは、
前記海外送金カードのカード情報に紐付く前記海外送金設定情報を記憶する記憶部と、
前記海外送金決済端末機から受信したデビット決済に基づく前記海外送金依頼データと前記海外送金設定情報とに基づいて、該当する送金先への海外送金処理を遂行する送金制御部と、
前記海外送金処理の結果を、前記ユーザが保有する所定の通信装置に伝送する通知部と、を有することを特徴とする海外送金支援システム。
【発明の詳細な説明】
【技術分野】
【０００１】
本発明は、デビットカードの決済システムと連携し、デビットカード及び海外送金カードを使用した海外送金を支援する技術に関する。
【背景技術】
【０００２】
日本国から海外の金融機関等への送金は、銀行窓口以外にも、例えば、銀行ＡＴＭ、インターネットバンキングで行うことができる。このとき、ユーザは、海外送金を取り扱う銀行に口座を有していれば、ユーザの口座に入金されている送金資金に基づいて、その銀行が海外送金を行うことができる。
【０００３】
一方で、２０１０年の規制緩和により、銀行以外の資金決済に関する法律に基づく資金移動事業者が、海外送金業務を行うことができるようになり、非特許文献１に記載のような海外送金サービスが提供されている。非特許文献１の海外送金サービスは、海外送金サービスを提供する資金移動事業者に口座を開設する必要がなく、資金移動事業者が指定する口座にユーザが送金資金を入金することで、海外送金を行う仕組みとなっている。
【０００４】
しかしながら、非特許文献１記載の海外送金サービスは、従来の銀行が行う海外送金の仕組みと異なり、日常の生活でユーザが利用する銀行口座と資金移動事業者の指定口座とが紐付かないため、ユーザは、送金資金を資金移動業者の指定口座に入金（移動）しなければならなかった。例えば、銀行ＡＴＭに出向いて、銀行口座のキャッシュカードを用いて指定口座に振り込んだり、一旦銀行口座から現金を引き出して指定口座に入金したりする手間が掛かっていた。この点は、インターネットバンキングでも同様である。
【先行技術文献】
【非特許文献】
【０００５】
【非特許文献１】ＳＢＩレミット株式会社ホームページ，「国際送金」ページ，https://www.remit.co.jp/MainSendingRemittance.jsf?menuid=2&lang=ja
【発明の概要】
【発明が解決しようとする課題】
【０００６】
そこで、本発明は、ユーザが口座を開設している金融機関とは異なる海外送金事業者が海外送金を行う海外送金システムにおいて、ユーザが金融機関の口座から海外送金システムに対して送金資金を移動しなくても、海外送金を行うことができる海外送金決済端末機及び海外送金支援システムを提供することにある。
【課題を解決するための手段】
【０００７】
本願第１発明は、ユーザが口座を開設している金融機関と提携し、ユーザが保有するデビットカードを通じてユーザが指定する金額を金融機関の口座から引き出すデビット決済を行う決済システム及び金融機関とは異なる海外送金事業者が提供し、ユーザによって予め設定された海外送金設定情報と関連付けられた海外送金カードによる海外送金を行う海外送金システムと連携した海外送金決済端末機である。海外送金決済端末機は、デビットカード及び海外送金カードそれぞれのカード情報を読み取るカード情報読み取り装置と、読み取られたデビットカードのカード情報と、ユーザが指定した決済金額及びユーザが入力したデビットカードの秘匿情報と、を含み、海外送金事業者を支払い先とするデビット決済のためのデビット決済用送信データを決済システムに送信し、決済システムからデビット決済結果を受信するデビット決済制御部と、デビット決済結果がＯＫである場合に、デビット決済された決済金額に対応する送金金額及び海外送金設定情報に紐付く海外送金カードのカード情報を含む海外送金依頼データを海外送金システムに送信する海外送金制御部と、を有する。
【０００８】
また、上記海外送金制御部は、海外送金依頼データの送信に対する海外送金システムからの応答結果を受信することができ、デビット決済制御部は、応答結果が海外送金依頼を受領できない旨を示す結果である場合又は海外送金システムから応答結果を受信できなかった場合に、デビット決済された決済金額に対応するデビット決済取消データを決済システムに送信するデビット決済取消処理を遂行するように構成することができる。
【０００９】
また、上記海外送金決済端末機は、ユーザによって操作される入力装置と、表示装置と、海外送金依頼データに対応する取引情報を記憶する記憶装置と、をさらに有するように構成することができる。このとき、海外送金制御部は、デビットカードのカード情報が読み取られる前であって入力装置を介して決済金額が入力され、かつ海外送金カードのカード情報が読み取られたときに、過去の取引情報を参照して、海外送金カード及び決済金額が同一の連続した海外送金である否かを判別し、海外送金カード及び決済金額が同一の連続した海外送金であると判別された場合に、同一の連続した海外送金であることを確認するメッセージを表示装置に表示させるように制御することができる。
【００１０】
また、上記海外送金決済端末機は、海外送金システムから受信した海外送金依頼データの送信に対する応答結果に基づいて、デビット決済に基づく海外送金依頼に関する所定の伝票を印刷する印刷装置をさらに有するように構成することができる。また、上記海外送金決済端末機は、持ち運び可能な端末機で構成することができる。
【００１１】
本願第２発明は、ユーザが口座を開設している金融機関と提携し、ユーザが保有するデビットカードを通じてユーザが指定する金額を金融機関の口座から引き出すデビット決済を行う決済システムと接続可能な海外送金決済端末機を利用し、金融機関とは異なる海外送金事業者が海外送金を行う海外送金システムと連携した海外送金支援システムである。海外送金決済端末機は、デビットカード及び海外送金システムを利用するユーザによって予め設定された海外送金設定情報と関連付けられた海外送金カードそれぞれのカード情報を読み取るカード情報読み取り装置と、読み取られたデビットカードのカード情報と、ユーザが指定した決済金額及びユーザが入力したデビットカードの秘匿情報と、を含み、海外送金事業者を支払い先とするデビット決済のためのデビット決済用送信データを決済システムに送信し、決済システムからデビット決済結果を受信するデビット決済制御部と、デビット決済結果がＯＫである場合に、デビット決済された決済金額に対応する送金金額及び海外送金設定情報に紐付く海外送金カードのカード情報を含む海外送金依頼データを海外送金システムに送信する海外送金制御部と、を有する。また、海外送金システムは、海外送金カードのカード情報に紐付く海外送金設定情報を記憶する記憶部と、海外送金決済端末機から受信したデビット決済に基づく海外送金依頼データと海外送金設定情報とに基づいて、該当する送金先への海外送金処理を遂行する送金制御部と、海外送金処理の結果をユーザが保有する所定の通信装置に伝送する通知部と、を有する。
【図面の簡単な説明】
【００１２】
【図１】第１実施形態のネットワーク構成例を示す図である。
【図２】第１実施形態の海外送金決済端末機の構成ブロック例を示す図である。
【図３】第１実施形態の海外送金システム（管理サーバ）の構成ブロック例を示す図である。
【図４】第１実施形態の海外送金設定情報の一例を示す図である。
【図５】第１実施形態の海外送金決済端末機のデビット処理及び海外送金処理のフローチャートの一例を示す図である。
【図６】図５に続く、海外送金決済端末機のデビット処理及び海外送金処理のフローチャートの一例を示す図である。
【図７】図６に続く、海外送金決済端末機のデビット処理及び海外送金処理のフローチャートの一例を示す図である。
【図８】第１実施形態の取引情報の一例を示す図である。
【図９】第１実施形態の海外送金決済端末機で印刷される伝票１を示す図である。
【図１０】第１実施形態の海外送金決済端末機で印刷される伝票２を示す図である。
【図１１】第１実施形態の海外送金決済端末機で印刷される伝票３を示す図である。
【図１２】第１実施形態の海外送金決済端末機、デビット決済システム及び金融機関の間で行われるデビット決済の処理フローを示すフローチャートである。
【図１３】第１実施形態の海外送金決済端末機、海外送金システム及び海外金融機関の間で行われる海外送金の処理フローを示すフローチャートである。
【図１４】第１実施形態の海外送金履歴の一例を示す図である。
【発明を実施するための形態】
【００１３】
以下、実施形態につき、図面を参照して説明する。
【００１４】
（第１実施形態）
図１から図１４は、第１実施形態を示す図である。図１は、本実施形態の海外送金支援システムのネットワーク構成例である。
【００１５】
本実施形態は、図１に示すように、従来の金融機関が海外送金を行う仕組みとは異なり、銀行以外の資金決済に関する法律に基づく資金移動事業者が提供する海外送金システム３００を利用してユーザが海外送金を行う仕組みを前提とするものである。
【００１６】
ユーザは、金融機関に給与振り込み口座などの口座を開設している。上述のように、口座が開設されている金融機関（例えば、国内金融機関）が海外送金業務を行う場合は、ユーザの指示により、その金融機関が、口座に入金されている送金資金を海外金融機関（海外銀行やコルレス先の提携金融機関など）に送金することができる。しかしながら、ユーザが利用している口座の金融機関以外の資金移動事業者が提供する海外送金システム３００から海外送金を行う場合、ユーザが利用する金融機関の口座と資金移動事業者の指定口座（ユーザの口座とは異なる他の金融機関の口座を含む）とが紐付かないため、金融機関に開設している口座から海外送金システムが指定する口座に送金資金を移動しなければならない。
【００１７】
そこで、本実施形態では、ユーザが口座を開設している金融機関と提携したデビット決済システム２００とネットワークを介して接続可能な海外送金決済端末機１００を利用し、金融機関とは異なる海外送金事業者が海外送金を行う海外送金システム３００と連携した海外送金を支援する。
【００１８】
本実施形態の海外送金決済端末機１００は、デビット決済システム２００及び海外送金システム３００とネットワーク１を介して接続可能な持ち運び出来る端末機であり、ユーザが保有するデビットカードＣｃ及び海外送金カードＣｒを読み込んで、デビット決済及びデビット決済に基づく海外送金依頼を行う。
【００１９】
海外送金決済端末機１００は、例えば、海外送金を行いたいユーザの所在地（勤め先の会社など）に営業員（海外送金決済端末機１００を操作する者）が携帯して持ち運び、その場でデビット決済に基づく海外送金システム３００を介した海外送金処理を行うことができる。なお、海外送金決済端末機１００は、据え置き型で所定の場所に常設してもよい。例えば、海外送金事業者の所定の店舗やユーザの勤め先の会社などに、常設することもできる。
【００２０】
ユーザが個人である場合のみならず、法人や特定の事業者が、海外送金を行う場合でも、海外送金決済端末機１００を利用した、デビット決済に基づく海外送金システム３００による海外送金処理を行うことができる。この場合も、営業員が必要に応じて海外送金決済端末機１００を法人等の所在地に携帯して持ち運んだり、法人等の会社内に常設したりすることができる。なお、海外送金決済端末機１００は、営業員や店舗等の店員など所定の操作者が操作したり、ユーザ自身が操作したりすることもできる。
【００２１】
図１に示すように、海外送金決済端末機１００は、液晶モニタ等の表示装置１００、手動走行式のカード情報読取装置１２０、プッシュキー等の入力装置１３０及びロール紙を印刷用紙としたラインサーマルプリンター等の印刷装置１４０を備えて構成されている。なお、カード情報読取装置１２０は、公知の接触・非接触ＩＣカードリーダライタで構成することもできる。
【００２２】
海外送金決済端末機１００は、電源としてリチウムイオン電池などバッテリを搭載することができ、バッテリから供給される電力によって動作する。また、ＡＣアダプターを介して商用電源から供給される電力で動作することもできる。
【００２３】
図２は、海外送金決済端末機１００の構成ブロック例を示す図である。海外送金決済端末機１００は、制御部１０１、通信制御部１０２及び記憶部１０３を含んで構成されている。制御部１０１は、デビット決済制御部１０１１、海外送金制御部１０１２、表示制御部１０１３及び印刷制御部１０１４を備えている。なお、制御部１０１を構成する各部は、海外送金決済端末機１００全体の制御と司る制御部１０１に接続される個別の制御装置として構成してもよい。
【００２４】
海外送金決済端末機１００の電源がオンされた後、カード情報読取装置１２０は読み取り可能な状態となる。ユーザ又は操作者が、例えば、カード情報読取装置１２０の磁気ヘッドに磁気カードを接触してスライドさせることで、カード情報を読み取ることができる。カード情報読取装置１２０で読み取られたカード情報は、制御部１０１に入力される。
【００２５】
ここで、海外送金決済端末機１００に使用されるデビットカードＣｃについて説明する。デビットカードＣｃは、例えば、ユーザが口座を有する金融機関が発行するデビット決済機能付きのキャッシュカードであり、口座番号等の情報を磁気情報で記録した磁気カードやＩＣチップで記録したＩＣカードがある。金融機関には、発行されたキャッシュカードに対する認証情報が予め登録されている。認証情報とは、例えば、キャッシュカードを使用するユーザ本人が任意に設定した暗証番号などの秘匿情報である。
【００２６】
デビット決済とは、デビット決済システム２００を提供する所定の事業者が予め金融機関と提携し、金融機関が発行するキャッシュカードに対して口座から当該口座に入金されている資金を上限として、即時的にユーザが指定した金額を引き落として支払い先の所定の口座（他の金融機関の口座を含む）に入金することを認証した決済方法である。
【００２７】
デビット決済システム２００として、例えば、キャッシュカードをそのまま利用することができるJ-Debit（登録商標）サービスがある。なお、デビットカードは、キャッシュカードとは別のカードであってもよい。例えば、金融機関は、ユーザが開設する口座に紐付くキャッシュカードとは別に、口座を利用したデビット決済機能のみを有するデビットカードを発行することができ、ユーザは、キャッシュカードではなくデビットカードを用いてデビット決済を行うことができる。
【００２８】
デビット決済制御部１０１１は、読み取られたデビットカードＣｃのカード情報と、入力装置１３０を介してユーザが入力（又は、ユーザの指示で、海外送金決済端末機１００を操作する営業員や店員などが入力）した決済金額（送金金額）及びユーザが自ら入力したデビットカードＣｃの秘匿情報とを含むデビット決済用送信データを生成し、デビット決済システム２００に送信する。このとき、カード情報読取装置１２０で読み取られるデビットカードＣｃのカード情報は、例えば、金融機関を識別するコード、口座が開設された金融機関の支店コード、当該金融機関に開設された口座番号などが含まれる。
【００２９】
また、デビット決済用送信データは、海外送金システム３００を運営する海外送金事業者を支払い先とするデビット決済のための送信データである。つまり、海外送金事業者は、デビット決済システム２００の参加者であり、金融機関は、ユーザが指定した金額を口座から引き落として支払い先の海外送金事業者の所定の口座（他の金融機関の口座を含む）に入金するデビット決済を行い、海外送金システムは、後述のように、海外送金のためにデビット決済を通じてユーザから指定された金額の入金があったものとして、ユーザが指定する送金先への海外送金を行う。
【００３０】
このため、デビット決済用送信データは、上述したデータの他に、海外送金事業者を支払い先とする情報や、海外送金事業者を経由した海外送金を行う目的であるデビット決済を示す情報（例えば、商品コードなど）を含んで構成することができる。デビット決済システム２００及び金融機関は、これらの情報に基づいて、海外送金事業者の所定の口座に、ユーザの口座から引き落とした代金を入金することができる。
【００３１】
なお、本実施形態の海外送金決済端末機１００が、海外送金システム３００を介した海外送金のための専用の端末機である場合、予め海外送金システム３００に対するデビット決済であることが一義的に把握できる。このため、デビット決済システム２００及び金融機関に、海外送金決済端末機１００の個体識別情報（端末個体番号）を予め登録しておき、デビット決済用送信データに海外送金決済端末機１００の個体識別情報を含ませることで、海外送金事業者を支払い先としたデビット決済を行うように構成することもできる。
【００３２】
デビット決済制御部１０１１は、デビット決済用送信データをデビット決済システム２００に送信してデビット決済要求を行うと、デビット決済システム２００からデビット決済結果を受信する。デビット決済システム２００と金融機関との間の処理については後述する。
【００３３】
デビット決済制御部１０１１は、デビット決済システム２００から受信したデビット決済結果が、「ＯＫ」であるか否かを判別し、「ＯＫ」である場合に、その旨を海外送金制御部１０１２に出力（通知）する。
【００３４】
海外送金制御部１０１２は、デビット決済結果がＯＫである場合に、デビット決済された決済金額を送金金額として海外送金処理を開始する。海外送金制御部１０１２は、デビット決済された決済金額に対応する送金金額及び海外送金設定情報に紐付く海外送金カードのカード情報を含む海外送金依頼データを生成して、海外送金システム３００に送信する。
【００３５】
ここで、海外送金決済端末機１００に使用される海外送金カードＣｒと海外送金システム３００について説明する。海外送金システム３００は、上述のように、デビット決済を行うための口座が開設された金融機関とは異なる海外送金事業者が提供するコンピュータシステムであり、ユーザによって予め設定された海外送金設定情報と関連付けられた海外送金カードＣｒによる海外送金を行う。
【００３６】
図３は、海外送金システム３００の構成ブロック例を示す図であり、海外送金システム３００は、海外送金を行うサーバ装置などで構成される管理サーバである。海外送金システム３００は、通信制御部３１０、制御部３２０及び記憶部３３０を含んで構成されている。制御部３２０は、さらに、海外送金決済端末機１００から送信された海外送金依頼データに基づいて、海外送金処理を行う送金制御部３２１、ユーザによる送金情報の設定登録を行う送金情報設定部３２２及びユーザが保有する所定の通信装置４００に受領した海外送金依頼に対する送金結果を通知する送金結果通知部３２３を含んで構成されている。
【００３７】
通信制御部３１０は、海外送金決済端末機１００、海外金融機関及びユーザが保有する通信装置４００との間の各ネットワークを介して通信制御を行う。説明の便宜上、通信接続部３１０は、接続先毎に異なるネットワーク１，２，３を使用して接続する態様を一例に示しているが、これらのネットワークは、同一のネットワークであってもよい。また、各ネットワーク１，２，３を介した通信は、有線又は無線を問わず、また、各ネットワーク１，２，３は、ＩＰ網や閉域ＩＰ網、所定の専用回線などで構成することができる。
【００３８】
図４は、海外送金設定情報の一例を示す図である。ユーザは、任意のコンピュータ装置から海外送金システム３００に接続し、送金元情報としてユーザの氏名、住所、電話番号、Ｅメールアドレスなどの個人を特定する情報や、送金先情報として送金先の氏名（名称）、住所、受取先金融機関コード、受取人の口座番号、コルレス先などの送金先や受取人を特定する情報を含む海外送金設定情報を、海外送金システム３００に予め登録しておく。
【００３９】
海外送金システム３００の送金情報設定部３２２は、ユーザからの接続要求に基づいて、ユーザが操作するコンピュータ装置に所定の登録画面を表示させ、登録画面を介して入力された海外送金設定情報を記憶部３３０に記憶する。海外送金システム３００は、ユーザによって登録された海外送金設定情報に対して海外送金カードＣｒを発行する。
【００４０】
このとき、送金情報設定部３２２は、送金元情報に対して１つ又は複数の送金先情報を登録できるように制御することができ、図４に示した海外送金設定情報を、送金先情報別に複数設定できるようにする。送金情報設定部３２２は、送金先情報毎に送金先情報を一意に識別する送金先番号を付与し、送金先番号と一対一の関係となる送金カード番号を付与する。ユーザは、送金先を複数登録する場合、各送金先に対応する複数の各海外送金カードＣｒを保有することになる。
【００４１】
海外送金システム３００は、送金カード番号毎に、海外送金カードＣｒを発行することができ、発行された海外送金カードＣｒは、海外送金事業者からユーザに配達され、デビットカードＣｃ同様にユーザが保有する。ユーザは、海外送金システム３００で海外送金を行う際に、上述したデビットカードと共に、海外送金カードＣｒを使用して、海外送金決済端末機１００から海外送金を行うことができる。
【００４２】
図５から図７は、本実施形態の海外送金決済端末機１００のデビット処理及び海外送金処理のフローチャートの一例を示す図である。
【００４３】
まず、海外送金決済端末機１００を操作する者は、不図示の電源ボタンをオンにし、海外送金決済端末機１００を起動させる。表示制御部１０１３は、電源ボタンがオンされたことに伴って、表示装置１１０に所定の業務選択メニュー画面を表示する。操作者は、入力装置１１０を介して業務選択メニュー画面において「海外送金」を選択する。これにより、海外送金決済端末機１００は、２つのカードを利用したデビット処理及び海外送金処理を行うことができる状態となる。
【００４４】
次に、海外送金決済端末機１００（制御部１０１）は、表示制御部１０１３を介して表示装置１１０に、海外送金手数料を含む送金金額の入力を促す入力画面が表示されるように制御する。ユーザ又はユーザから指示を受けた操作者は、入力装置１３０から海外送金を行う送金金額を入力する（Ｓ１０１）。このとき、入力される送金金額は、送金手数料を含む金額とすることができる。ユーザは、送金金額に送金手数料を加算した合計金額を入力装置１３０から入力することができる。
【００４５】
制御部１０１は、送金金額が入力された後、カード情報読取装置１２０を、ユーザの海外送金カードＣｒのカード情報を読み取り可能な状態に制御する。制御部１０１は、表示制御部１０１３を介して表示装置１１０に海外送金カードＣｒの読み込み操作を促すメッセージを入力画面に表示させるように制御する。操作者は、海外送金カードＣｒをカード情報読取装置１２０にスキャンさせ、カード情報を海外送金決済端末機１００に読み込ませる（Ｓ１０２）。
【００４６】
制御部１０１は、読み込まれた海外送金カードＣｒの判定処理を行う（Ｓ１０３）。具体的には、海外送金カードＣｒの有効性判定チェックである。例えば、カード情報に含まれる送金カード番号や送金者であるユーザの顧客ＩＤのデータ配列が予め規定されたデータ列であるかをチェックしたり、カード情報に含まれる所定のチェックデジットを用いて海外送金カードＣｒの有効性を判定したりする。
【００４７】
制御部１０１は、海外送金カードＣｒが有効であると判定された後（Ｓ１０４のＹＥＳ）、続いて海外送金制御部１０１２による連続送金判定処理を行う（Ｓ１０５）。連続送金判定処理は、デビットカードＣｃのカード情報が読み取られる前であって入力装置１３０を介して送金金額が入力され、かつ海外送金カードＣｒのカード情報が読み取られたときに、過去の取引情報を参照して、海外送金カードＣｒ（カード情報）及び決済金額が同一の連続した海外送金である否かを判別する。
【００４８】
海外送金カードＣｒ及び決済金額が同一の連続した海外送金であると判別された場合（Ｓ１０５のＹＥＳ）、制御部１０１は、表示制御部１０１３を介して、同一の連続した海外送金であることをユーザに注意喚起するメッセージを表示装置１３０に表示させるように制御する（Ｓ１０６）。
【００４９】
ここで、海外送金決済端末機１００は、後述するように、デビット決済を通じて海外送金処理された海外送金依頼データに対応する取引情報を、記憶部１０３に記憶している。図８は、取引情報の一例を示す図であり、決済情報センターコード、引落実行日時、端末固有番号、伝票番号、処理通番、承認番号、引落銀行コード、引落銀行支店コード、引落銀行口座番号、引落金額、送金カード番号、送金カード情報、及びステータスを含んで構成されている。
【００５０】
引落銀行コード、引落銀行支店コード、引落銀行口座番号は、デビットカードＣｃのカード情報であり、引落金額は、送金金額に相当する。送金カード情報は、海外送金カードＣｒのカード情報に含まれる全ての情報のデータ列である。決済情報センターコードは、複数あるデビット決済システム２００の識別情報である。端末固有番号は、海外送金決済端末機１００の個体識別番号である。また、ステータスは、デビット決済結果及び海外送金依頼に対する承認結果の各状態を示すものであり、例えば、デビット決済結果及び海外送金依頼に対する承認結果が共にＯＫである場合、「正常処理」がステータスとして保持される。
【００５１】
制御部１０１は、デビット決済制御部１０１１及び海外送金制御部１０１２によるデビット処理及び海外送金処理の履歴（取引履歴）として、図８に示した取引情報を、海外送金カードＣｒ別に、かつ同一の海外送金カードＣｒであっても各海外送金処理別に、記憶部１０３に適宜記憶している。
【００５２】
制御部１０１は、同一の連続した海外送金である確認メッセージに対して、ユーザ又は操作者からの確認ＯＫの入力があったときに（Ｓ１０７のＹＥＳ）、または、連続送金でないと判別されたときに（Ｓ１０５のＮＯ）、表示制御部１０１３を介して、デビットカードＣｃのカード情報をカード情報読取装置１２０で読み取ることを促すメッセージを表示装置１１０に表示するように制御する。
【００５３】
本実施形態の海外送金決済端末機１００は、複数のユーザの各海外送金を取り扱うことができ、又は一人のユーザであっても異なる海外送金カードＣｒで複数の海外送金を取り扱うことができる。連続送金判定処理を行い、同一の連続した海外送金で場合には、表示装置１３０に連続送金である旨を表示してユーザや操作者に確認を促し、ユーザ又は操作者によって連続送金を行う意思が確認された後に、海外送金が行われるように制御することで、複数のユーザ間又は同一ユーザによる異なる海外送金の取り違いによる送金ミスやデビット決済ミスを抑制することができ、安心・安全なデビット決済に基づく海外送金サービスを提供することができる。
【００５４】
制御部１０１は、海外送金カードＣｒの有効性の判定処理及び連続送金判定処理を経た後に、表示制御部１０１３を介して、表示装置１１０にデビットカードＣｃの読み込み操作を促すメッセージを表示させる。操作者は、デビットカードＣｃをカード情報読取装置１２０にスキャンさせ、カード情報を海外送金決済端末機１００に読み込ませる（Ｓ１０８）。
【００５５】
制御部１０１は、読み込まれたデビットカードＣｃに対しても、ステップＳ１０３と同様に、カードの有効性をチェックする処理（デビットカード判定処理）を行う（Ｓ１０９）。例えば、デビットカードＣｃのカード情報に含まれる所定のチェックデジットをチェックして、デビットカードＣｃの有効性を判定する。
【００５６】
制御部１０１は、デビットカードＣｃの判定処理の結果、判定ＯＫであれば（Ｓ１１０のＹＥＳ）、表示制御部１０１３を介して、デビットカードＣｃの秘匿情報の入力をユーザに促すメッセージを表示装置１１０に表示するように制御する。ユーザは、入力装置１３０からデビットカードＣｃの暗証番号等の秘匿情報を入力する（Ｓ１１１）。
【００５７】
次に、デビット決済制御部１０１１は、デビット決済システム２００に送信するデビット決済用送信データを生成する。このとき、ユーザから入力された秘匿情報に対してスクランブル処理を行うことができ、秘匿情報を難読化することができる（Ｓ１１２）。制御部１０１は、読み取られたデビットカードＣｃのカード情報と、ユーザが指定した決済金額及びスクランブル処理された秘匿情報を含むデビット決済用送信データを生成する（Ｓ１１３）。
【００５８】
デビット決済制御部１０１１は、デビット決済システム２００への送信のために、生成されたデビット決済用送信データの暗号化処理を行う（Ｓ１１４）。暗号化処理は、例えば、共通鍵暗号方式や公開鍵暗号方式などの公知のアルゴリズムを使用することができる。なお、デビット決済システム２００によって予め指定された暗号化アルゴリズムがある場合、デビット決済制御部１０１１は、指定された暗号化アルゴリズムでデビット決済用送信データを暗号化する処理を行うことができる。
【００５９】
また、海外送金決済端末機１００とデビット決済システム２００との間、海外送金決済端末機１００と海外送金システム３００との間は、適宜情報セキュリティ面を考慮して暗号化されたデータのやり取りを規定することができる。海外送金決済端末機１００は、上述した任意の又は指定された暗号化アルゴリズムで、暗号化処理を遂行する。
【００６０】
図６に示すように、デビット決済制御部１０１１は、暗号化処理されたデビット決済用送信データをデビット決済システム２００に送信する送信処理を行う（Ｓ１１５）。具体的には、デビット決済制御部１０１１は、まず、通信制御部１０２を介してデビット決済システム２００に接続する（Ｓ１１６）。このとき、デビット決済システム２００との間で認証処理を含む接続確認メッセージのやり取りが行われ、セッションが確立される。デビット決済制御部１０１１は、接続確立メッセージを受信した後（Ｓ１１７のＹＥＳ）、暗号化されたデビット決済用送信データを、デビット決済システム２００に送信する（Ｓ１１８）。
【００６１】
デビット決済制御部１０１１は、デビット決済システム２００からデビット決済結果を受信する（Ｓ１１９）。このとき、デビット決済結果をデビット決済システム２００から受信できない場合は、デビット決済制御部１０１１は、デビット決済が不成立であるものと判断し、例えば、デビット決済用送信データを送信してからの経過時間をカウントし、所定の時間が経過してもデビット決済システム２００からデビット決済結果を受信できない場合は、ステップＳ１２２に進んでデビット取消処理を行うことができる。
【００６２】
デビット取消処理は、例えば、デビット決済用送信用データに対応するデビット決済の取消を要求する所定の送信データを生成し、デビット決済システム２００に送信する処理である。デビット決済用送信データのうち秘匿情報を除く情報と、デビット決済システム２００が決済取消を識別可能な所定のコード情報とを含む送信データを生成し、デビット決済システム２００の送信することができる。
【００６３】
デビット決済制御部１０１１は、デビット決済結果を受信した後に、通信制御部１０２を介してデビット決済システム２００との間の通信を遮断し（Ｓ１２０）、デビット決済結果の内容が「決済ＯＫ」が否かを判別する（Ｓ１２１）。
【００６４】
デビット決済結果には、例えば、決済ＯＫ（成立），決済ＮＧ（不成立）などの示すコードやメッセージが含まれ、デビット決済制御部１０１１は、デビット決済結果に基づいて、デビット決済がＯＫであったか否かを判別することができる。
【００６５】
デビット決済結果が「決済ＯＫ」である場合、デビット決済制御部１０１１は、海外送金制御部１０１２に、デビット決済結果がＯＫである旨、又はデビット決済された送金金額での海外送金処理を行うように制御信号を出力する。
【００６６】
海外送金制御部１０１２は、デビット決済結果がＯＫであることに基づいて海外送金システム３００を介した海外送金処理を開始する（Ｓ１２３）。図７に示すように、海外送金制御部１０１２は、デビット決済された決済金額に対応する送金金額及び図４に示した海外送金設定情報に紐付く海外送金カードＣｒのカード情報を含む海外送金依頼データを生成する（Ｓ１２４）。
【００６７】
そして、海外送金制御部１０１２は、通信制御部１０２を介して海外送金システム３００に接続し（Ｓ１２５）、海外送金システム３００との間で行われる認証処理を含む接続確認メッセージのやり取りに基づいて、セッションを確立する。海外送金制御部１０１２は、接続確立メッセージを受信した後（Ｓ１２６のＹＥＳ）、海外送金依頼データを、海外送金システム３００に送信する（Ｓ１２７）。
【００６８】
海外送金制御部１０１２は、海外送金システム３００による海外送金の承認結果を、当該海外送金システム３００から受信する（Ｓ１２８）。海外送金制御部１０１２は、海外送金の承認結果を受信すると（Ｓ１２８のＹＥＳ）、通信制御部１０２を介して接続中の海外送金システム３００との間の通信を遮断し（Ｓ１２９）、海外送金依頼に対する承認結果の内容が「承認ＯＫ」であるか否かを判別する（Ｓ１３０）。
【００６９】
海外送金依頼に対する承認結果には、例えば、承認ＯＫ（成立），承認ＮＧ（不成立）などの示すコードやメッセージが含まれ、海外送金制御部１０１２は、海外送金依頼に対する承認結果に基づいて、海外送金処理が正常に承認されたか否かを判別することができる。
【００７０】
海外送金依頼に対する承認結果が「承認ＯＫ」である場合（Ｓ１３０のＹＥＳ）、制御部１０１（又は海外送金制御部１０１２）は、図８に示した取引情報を生成して記憶部１０３に記憶すると共に（Ｓ１３１）、海外送金制御部１０１２は、海外送金システム３００によってデビット決済に基づく海外送金が正常に受け付けられたことを示す伝票１の印刷指示を印刷制御部１０１４に出力する。印刷制御部１０１４は、印刷装置１４０で、伝票１を印刷するように制御する（Ｓ１３２）。
【００７１】
図９は、本実施形態の海外送金決済端末機１００で印刷される伝票１の一例を示す図である。図９に示すように、伝票１は、デビット決済に基づく海外送金の口座引落伝票であり、伝票番号、端末番号、ご利用日時、送金カード番号、送金金額と共に、海外送金が正常に受け付けられたメッセージ（例えば、「ご利用ありがとうございました。送金受付通知は、ＳＭＳ、Ｅメールでお客様宛に配信されます。」)などの各種情報が印刷される。これらの情報は、記憶部１０３に記憶された取引情報から印刷制御部１０１４が取得することができる。
【００７２】
次に、デビット決済取消処理について説明する。図７に示すように、デビット決済制御部１０１１によってデビット決済が行われた後に、海外送金処理が正常に行えなかった場合、海外送金の資金となるデビット決済された送金金額の当該決済を、取り消す必要がある。海外送金されていない代金に対するユーザの支払いをキャンセルするためである。
【００７３】
デビット決済取消処理は、ステップＳ１２６において海外送金決済端末機１００と海外送金システム３００との通信接続が行えなかった場合、ステップＳ１２８において海外送金システム３００から海外送金の承認結果を受信できなかった場合、ステップＳ１３０において海外送金システム３００から受信した承認結果が、「承認ＮＧ」（承認ＯＫ以外）であった場合に、デビット決済制御部１０１１によって遂行される。海外送金制御部１０１２は、これらの各ステップにおいてＮＯである場合に、海外送金処理を終了するとともに、デビット決済制御部１０１１は、ステップＳ１３３に進んで、ステップＳ１１６と同様に通信制御部１０２を介してデビット決済システム２００に接続する。
【００７４】
デビット決済制御部１０１１は、接続確立メッセージを受信した後（Ｓ１３４のＹＥＳ）、ステップＳ１２２と同様に、デビット決済用送信用データに対応するデビット決済の取消を要求する所定の送信データを生成し、デビット決済システム２００に送信する（Ｓ１３５）。デビット決済制御部１０１１は、デビット決済システム２００からデビット取消結果を受信する（Ｓ１３６）。
【００７５】
デビット決済制御部１０１１は、デビット取消結果を受信した後に、通信制御部１０２を介してデビット決済システム２００との間の通信を遮断し（Ｓ１３７）、デビット取消結果に基づいて、デビット決済の取り消しが正常に行われたか否かを判別する（Ｓ１３８）。デビット取消結果には、例えば、取消ＯＫ（取消成立），取消ＮＧ（取消不成立）などの示すコードやメッセージが含まれている。
【００７６】
デビット取消結果が「取消ＯＫ」である場合、デビット決済制御部１０１１は、図８に示した「ステータス」に、デビット決済の取消処理が正常に行われ、かつ海外送金が行われていない旨を示すコードやメッセージを含む取引情報を生成して、記憶部１０３に記憶する（Ｓ１３９）。このとき、取引情報の「ステータス」には、例えば、デビット決済の取消処理が正常に行われて海外送金の中止処理を正常終了した旨を示す情報（例えば、「異常処理１」）などを記憶することができる。
【００７７】
デビット決済制御部１０１１は、海外送金の中止に伴うデビット決済システム２００によるデビット決済の取消が正常に受け付けられたことを示す伝票２の印刷指示を印刷制御部１０１４に出力する。印刷制御部１０１４は、印刷装置１４０で、伝票２を印刷するように制御する（Ｓ１４０）。
【００７８】
図１０は、本実施形態の海外送金決済端末機１００で印刷される伝票２の一例を示す図である。図１０に示すように、伝票２は、図９に示した伝票１と同様の口座引落伝票であるが、海外送金が受け付けられなかったメッセージ（例えば、「送金できませんでした。」）が印刷される。これらの情報は、取引情報のステータス（異常処理１）に応じて、予め記憶部１０３に記憶しておくことができる。
【００７９】
一方、ステップＳ１３４において海外送金決済端末機１００とデビット決済システム２００との通信接続が行えなかった場合、ステップＳ１３６においてデビット決済システム２００からデビット決済の取消結果を受信できなかった場合、ステップＳ１３８においてデビット決済システム２００から受信した承認結果が、「取消ＮＧ」（取消ＯＫ以外）であった場合に、デビット決済制御部１０１１は、図８に示した「ステータス」に、デビット決済の取消処理が正常に行うことができず、かつ海外送金処理を強制終了した旨を示すコードやメッセージ（例えば、異常処理２）を含む取引情報を生成して、記憶部１０３に記憶する（Ｓ１４１）。
【００８０】
デビット決済制御部１０１１は、海外送金処理を強制終了し、かつデビット決済システム２００によるデビット決済の取消が正常に受け付けられなかったことを示す伝票３の印刷指示を印刷制御部１０１４に出力する。印刷制御部１０１４は、印刷装置１４０で、伝票３を印刷するように制御する（Ｓ１４２）。
【００８１】
図１１は、本実施形態の海外送金決済端末機１００で印刷される伝票３の一例を示す図である。図１１に示すように、伝票３は、図１０に示した伝票２と同様の口座引落伝票であるが、海外送金が受け付けられず、かつデビット決済の取消が正常に受け付けられなかったメッセージ（例えば、「海外送金及びデビット処理を強制終了しました。デビット成立及び海外送金の成立を確認してください。」）が印刷される。これらの情報は、取引情報のステータス（異常処理２）に応じて、予め記憶部１０３に記憶しておくことができる。
【００８２】
なお、ステップＳ１０４において海外送金カードＣｒのカード判定処理がＮＧであった場合、ステップＳ１０７において連続送金に対してユーザ又は操作者が連続送金を行わない操作入力を行った場合、ステップＳ１１０においてデビットカードのカード判定処理がＮＧであった場合、制御部１０１は、ステップＳ１４３に進み、表示制御部１０１３を介して表示装置１１０に、各種メッセージを表示する表示処理を行うことができる。
【００８３】
例えば、ステップＳ１０４において海外送金カードＣｒのカード判定処理がＮＧであった場合、制御部１０１はステップＳ１４３において、表示装置１１０に「海外送金カード（又は適合する海外送金カード）ではありません。お確かめの上、再度スキャンしてください。」などのメッセージを表示することができる。
【００８４】
また、ステップＳ１０７において連続送金に対してユーザ又は操作者が連続送金を行わない操作入力を行った場合、制御部１０１はステップＳ１４３において、表示装置１１０に「送金処理を終了します。」などのメッセージを表示することができる。
【００８５】
また、ステップＳ１１０においてデビットカードのカード判定処理がＮＧであった場合、制御部１０１はステップＳ１４３において、表示装置１１０に「デビットカード（又は適合するデビットカード）ではありません。お確かめの上、再度スキャンしてください。」などのメッセージを表示することができる。
【００８６】
さらに、図６に示したステップＳ１１７において海外送金決済端末機１００とデビット決済システム２００との通信接続が行えなかった場合、ステップＳ１１９においてデビット決済システム２００からデビット決済結果を受信できずに、ステップＳ１２２においてデビット取消処理を行った場合、ステップＳ１２１においてデビット決済システム２００から受信したデビット決済結果が、「決済ＮＧ」（決済ＯＫ以外）であった場合に、制御部１０１は、ステップＳ１４０に進んで、図１０に示した伝票２の印刷指示を印刷制御部１０１４に出力し、伝票２を印刷することができる。
【００８７】
なお、上述したように海外送金決済端末機１００は、海外送金処理が正常に行えなかったとき、自動的にデビット決済された送金金額の当該決済を取り消す処理を行っているが、例えば、ユーザや操作者が別途デビット決済取消のための手続を自ら行うように構成してもよい。この場合、海外送金決済端末機１００は、デビット決済取消処理として、デビット決済制御部１０１１によるデビット決済の取消を要求する所定の送信データを生成や送信等を行わずに処理を終了し、表示装置１１０にエラーメッセージを表示させるように構成したり、図１０や図１１に示した伝票２、伝票３を印刷装置１４０で印刷するように構成したりすることができる。
【００８８】
また、ユーザや操作者が別途デビット決済取消のための手続を自ら行う態様としては、デビット決済システム２００が開設する受付窓口に電話したり、ユーザや操作者が操作するコンピュータ装置からデビット決済システム２００に接続し、デビット決済システム２００が提供する所定の決済取消画面からユーザや操作者がデビット決済の取消申請の手続を行ったりすることができる。
【００８９】
また、図７に示したデビット決済制御部１０１１によるデビット決済の取消を要求する所定の送信データを生成や送信等の処理を、ユーザや操作者が行う機能として個別に構成し、海外送金決済端末機１００で行うように構成することもできる。例えば、海外送金決済端末機１００は、表示装置１１０にデビット決済取消機能を選択できるメニュー画面を表示し、ユーザや操作者自らがメニュー画面からデビット決済取消機能を選択する。デビット決済制御部１０１１は、デビット決済取消機能が選択されたことに基づいて、デビット決済の取消を要求する所定の送信データを生成や送信等を行うことができる。図６に示したステップＳ１２２のデビット取消処理についても同様である。
【００９０】
図１２は、本実施形態の海外送金決済端末機１００、デビット決済システム２００及び金融機関の間で行われるデビット決済の処理フローを示すフローチャートである。なお、図１２の例において、海外送金決済端末機１００の各処理は、図６に示した対応する各処理と同符号を付し、説明を省略する。
【００９１】
図１２に示すように、デビット決済システム２００は、海外送金決済端末機１００から接続要求を受信すると、接続許可を判定するための認証処理を行う（Ｓ３０１）。例えば、デビット決済システム２００は、海外送金決済端末機１００から端末固有番号などの識別ＩＤを含む接続要求を受信し、予め登録されている端末固有番号とマッチングを行い、接続許可を判定することができる。
【００９２】
デビット決済システム２００は、接続許可を判定するための認証処理がＯＫであると判別された場合、接続許可応答メッセージを海外送金決済端末機１００に伝送し、セッションを確立する（Ｓ３０２）。
【００９３】
セッション確立後、デビット決済システム２００は、海外送金決済端末機１００から上述したデビット決済用送信データを受信し、受信したデビット決済用送信データのデータチェックを行う。例えば、デビット決済用送信データが処理可能なデータであるかなどをチェックし、データチェック処理がＯＫであると判別された場合（Ｓ３０３のＹＥＳ）、デビット決済システム２００は、デビット決済を行うユーザの口座が開設された金融機関に送信するためのデビットデータを生成する（Ｓ３０４）。
【００９４】
デビット決済システム２００は、受信したデビット決済用送信データに含まれる金融機関コード及び口座番号から、該当する金融機関に向けた決済金額を含むデビットデータを生成することができ、生成されたデビットデータを金融機関に送信する（Ｓ３０５）。
【００９５】
金融機関は、口座番号に該当する口座の残高とデビット決済を要求された金額とを比較し、デビット決済を要求された金額が口座の残高よりも小さい場合（Ｓ４０１）、デビット決済処理（ユーザの口座からの代金引落処理及び指定口座への引き落とし金額の入金処理）を行い（Ｓ４０２）、デビット決済結果「決済ＯＫ」をデビット決済システム２００に送信する（Ｓ４０３）。デビット決済システム２００は、金融機関からデビット決済結果を受信すると、デビット応答処理として、海外送金決済端末機１００に金融機関から受信したデビット決済結果を通知する（Ｓ３０６）。
【００９６】
なお、上述したデビット決済の取消処理についても、同様であり、デビット決済システム２００は、海外送金決済端末機１００からデビット決済用送信用データに対応するデビット決済の取消を要求する所定の送信データを受信すると、一度金融機関に送信したデビットデータに対応するデビット取消データを生成して該当する金融機関に送信する。金融機関では、一度受理したデビット決済に対する所定の取消処理を行い、デビット取消処理の結果をデビット決済システム２００に送信する。デビット決済システム２００は、受信したデビット取消結果を、海外送金決済端末機１００に送信する。
【００９７】
図１３は、本実施形態の海外送金決済端末機１００、海外送金システム３００及び海外金融機関の間で行われる海外送金の処理フローを示すフローチャートである。なお、図１２の例において、海外送金決済端末機１００の各処理は、図７に示した対応する各処理と同符号を付し、説明を省略する。
【００９８】
図１３に示すように、海外送金システム３００（制御部３２０）は、海外送金決済端末機１００から接続要求を受信すると、接続許可を判定するための認証処理を行う（Ｓ５０１）。例えば、海外送金システム３００は、海外送金決済端末機１００から端末固有番号などの識別ＩＤを含む接続要求を受信し、予め登録されている端末固有番号とマッチングを行い、接続許可を判定することができる。
【００９９】
海外送金システム３００は、接続許可を判定するための認証処理がＯＫであると判別された場合、接続許可応答メッセージを海外送金決済端末機１００に伝送し、セッションを確立する（Ｓ５０２）。
【０１００】
海外送金システム３００（送金制御部３２１）は、セッション確立後、海外送金決済端末機１００から上述した海外送金依頼データを受信し、受信応答処理を行う（Ｓ５０３）。海外送金システム３００の記憶部３３０には、ユーザによって登録された海外送金設定情報が記憶されているので、受信応答処理として、海外送金カードＣｒのカード情報に紐付く海外送金設定情報と受信した海外送金依頼データとをマッチングし、送金カード番号や顧客ＩＤなどの付け合わせを行って、海外送金依頼データが海外送金カードＣｒに基づく正常なデータであるか否かを判別する。海外送金システム３００は、海外送金依頼データが海外送金カードＣｒに基づく正常なデータであると判別された場合、海外送金の承認結果「承認ＯＫ」を海外送金決済端末機１００に送信する。
【０１０１】
海外送金システム３００（送金制御部３２１）は、受信した海外送金依頼データが海外送金カードＣｒに基づく正常なデータであると判別された場合、海外送金決済端末機１００から受信したデビット決済に基づく海外送金依頼データと海外送金設定情報とに基づいて、該当する送金先への海外送金処理を遂行する（Ｓ５０４）。
【０１０２】
具体的には、海外送金依頼データに含まれる送金金額で、海外送金カードＣｒの送金カード番号に紐付く送金先に対する送金指図電文を生成し、海外金融機関に送信する（Ｓ５０５）。海外金融機関は、海外送金システム３００から受信した送金指図電文に対する受信応答メッセージを、海外送金システム３００に送信したり、受信した送金指図電文に基づいて指定された送金金額を該当の口座へ入金した旨の応答メッセージを、海外送金システム３００に送信したりする（Ｓ６０１）。
【０１０３】
海外送金システム３００（送金制御部３２１）は、海外金融機関から送金指図電文に対する受信応答メッセージや送金先の口座へ入金した旨の応答メッセージを受信すると、図１４に示す海外送金履歴を生成して、記憶部３３０に記憶する（Ｓ５０６）。そして、海外送金履歴に基づいて、海外送金システム３００は、ユーザが保有する通信装置４００に、Ｅメールアドレス等を利用して、送金先に対して海外送金が行われた旨の所定メッセージを含む送金結果通知を行う（Ｓ５０７）。
【０１０４】
このように本実施形態は、ユーザが口座を開設している金融機関と提携したデビット決済システム２００とネットワークを介して接続可能な海外送金決済端末機１００を利用し、金融機関とは異なる海外送金事業者が海外送金を行う海外送金システム３００と連携して海外送金を行うことができ、ユーザは、給与振り込み口座などを開設している金融機関の口座から、海外送金事業者（指定口座）への資金移動を行わなくても、ユーザが口座を開設している金融機関とは異なる海外送金事業者が海外送金を行うことができる。
【０１０５】
特に、ユーザは、デビット決済システム２００と提携する各金融機関の任意のデビットカードＣｃ（キャッシュカード）を利用して、海外送金システム３００から海外送金を行うことができるので、利便性が向上する。また、海外送金システム３００は、どの金融機関であるかを識別せずに（各金融機関との連携が必要なく）、同じデビット決済という送金金額の支払いに基づいて、ユーザが指定する金額を海外金融機関に送金することができ、システムの効率化を図ることができる。
【０１０６】
また、日本人のみならず、在日外国人に対して特に使い勝手のよい海外送金サービスを提供することができる。例えば、在日外国人も、給与振り込み口座などを金融機関に開設しているが、銀行ＡＴＭやインターネットバンキングでの操作は不慣れであり、海外送金を手軽に行うことができない場合がある。しかしながら、本実施形態の海外送金支援システムは、在日外国人の会社などに直接営業員が海外送金決済端末機１００を携帯して赴き、ユーザが保有するデビットカードＣｃ及び海外送金カードＣｒを用いるだけで、口座から資金移動をすることなくその場でユーザが指定する送金先に海外送金を行うことができる。また、印刷装置１４０で伝票１などをその場で印刷し、控え伝票としてユーザに受け渡すことができるので、ユーザ及び営業員は、ユーザが行う海外送金の意思とその内容をその場で確認することができる。このため、安全かつ簡単に海外送金を完了させることができる。
【符号の説明】
【０１０７】
１００    海外送金決済端末機
１０１    制御部
１０１１  デビット決済制御部
１０１２  海外送金制御部
１０１３  表示制御部
１０１４  印刷制御部
１０２    通信制御部
１０３    記憶部
１１０    表示装置
１２０    カード情報読取装置
１３０    入力装置
１４０    印刷装置
２００    デビット決済システム
３００    海外送金システム（管理サーバ）
３１０    通信制御部
３２０    制御部
３２１    送金制御部
３２２    送金情報設定部
３２３    送金結果通知部
３３０    記憶部
４００    通信装置
Ｃｃ      デビットカード
Ｃｒ      海外送金カード
【図１】
0006348362.tif 000002
【図２】
0006348362.tif 000003
【図３】
0006348362.tif 000004
【図４】
0006348362.tif 000005
【図５】
0006348362.tif 000006
【図６】
0006348362.tif 000007
【図７】
0006348362.tif 000008
【図８】
0006348362.tif 000009
【図９】
0006348362.tif 000010
【図１０】
0006348362.tif 000011
【図１１】
0006348362.tif 000012
【図１２】
0006348362.tif 000013
【図１３】
0006348362.tif 000014
【図１４】
0006348362.tif 000015